(57)【要約】【課題】一人で簡単に操作でき、且つ、どこでも簡単に運搬して使用できる片手持ち可能な狭部撮影用モニター一体型カメラ、例えば、歯科用カメラ、を提供する。【解決手段】狭部内の被写体から受光するために一端に設けられた鏡筒部（２）、鏡筒部で受光した被写体の画像を撮影する撮影部（８）、及び、撮影部で撮影された画像を操作者に表示するため一端とは反対側の他端に設けられたモニター画面（３）を有するカメラ本体（１０）と、カメラ本体に取り付けられてカメラ本体を操作者が片手で保持し且つ操作するためのハンドル部（４）と、を備えたことを特徴とする片手持ち可能な狭部撮影用モニター一体型カメラ（１）。【選択図】　　　　　図４
2004073419.tif 000002
【特許請求の範囲】
【請求項１】
狭部内の被写体から受光するために一端に設けられた鏡筒部、該鏡筒部で受光した前記被写体の画像を撮影する撮影部、及び、前記撮影部で撮影された画像を操作者に表示するために前記一端とは反対側の他端に設けられたモニター画面を有するカメラ本体と、
該カメラ本体に取り付けられて前記カメラ本体を前記操作者が片手で保持し且つ操作するためのハンドル部と、
を備えたことを特徴とする片手持ち可能な狭部撮影用モニター一体型カメラ。
【請求項２】
前記ハンドル部に、前記カメラの電源電池、前記撮影された画像を記憶する取外し可能なメモリーカード、前記ハンドル部の前記鏡筒部と同じ側に操作者の人差し指で操作可能な前記撮影された画像を前記メモリカード内に記憶するためのシャッターボタン、及び、前記ハンドル部の前記モニター画面と同じ側に電源スイッチとメモリカード内に記憶された画像を前記モニター画面に表示する画像ページ送りスイッチと電源入り表示灯とスタンバイスイッチを有する操作パネル、が設けられた請求項１に記載の片手持ち可能な狭部撮影用モニター一体型カメラ。
【請求項３】
前記鏡筒部が前記狭部内の被写体を照明するための白色発光ダイオードを有し、前記撮影部が前記鏡筒部からの前記被写体の画像を撮影する半導体撮影素子を有するカラーデジタルカメラであり、前記モニター画面が前記被写体の撮影された画像をカラー表示するＴＦＴカラー液晶画面である、請求項１に記載の片手持ち可能な狭部撮影用モニター一体型カメラ。
【請求項４】
前記鏡筒部が約０．８センチメートル乃至２．５センチメートルの外形、１センチメートル乃至１５センチメートルの長さを有し、前記撮影部が被写界深度の大きい固定焦点型レンズを有し、前記モニター画面が２．５インチ乃至３．５インチのカラー液晶画面であり、総重量が１キログラム未満の請求項３に記載の片手持ち可能な狭部撮影用モニター一体型カメラ。
【発明の詳細な説明】
【０００１】
【発明の属する技術分野】
本発明は、狭部内の被写体を撮影するためのモニター付きカメラに関し、より詳細には、片手で持つことが可能でモニターと一体になった狭部撮影用カメラに関する。
【０００２】
【従来の技術】
人の肉眼では容易に観察できない狭い部分を、光学カメラ、テレビカメラ又はデジタルカメラを使用して撮影し、モニター画面に拡大して表示し、記憶装置に記録し、若しくは、印刷装置でプリントアウトすることができれば、狭い部分を観察、診断、記録するのに非常に便利である。このような狭部を撮影するためのモニター付きのカメラとしては、例えば、歯科に用いられる患者の歯牙や口腔内を撮影するための歯科用カメラがある。
【０００３】
このような従来の歯科用カメラとしては、特開平１０−５２４０１号公報や特開２０００−２３９１１号公報に開示されるものがある。これらの公報に開示された従来例は、いずれも筒状の歯科用カメラであり、その筒状カメラの細い一端側に患者の口腔内へ挿入して撮影する撮像部を設け、その一端とは反対側に操作者が保持する把持部及び撮像信号を外部のＣＲＴモニター等の大型のモニター装置に無線送信するためのアンテナ又は有線送信するためのケーブルを設けている。これらの従来例の歯科用カメラでは、カメラ本体は口腔内に挿入するために筒状に小型化されてはいるが、カメラで撮影された患者の歯牙や口腔内の画像は、外部のＣＲＴモニター等の比較的大型のモニター装置に送信して表示する構成である。
【０００４】
したがって、これら従来例の歯科用カメラでは、一人の操作者が同時に、歯科用カメラを狭い口腔内に挿入する操作と、外部モニター画面を監視して画面に表示された患部画像を診断し、記憶装置へ記録操作し、若しくは印刷装置によりプリント出力操作を行なうことは困難である。
【０００５】
このため、これらの従来例の歯科用カメラでは、普通、二人がかりで使用することが必要である。すなわち、一人が歯科用カメラを持って患者の口腔内への挿入操作を行ない、別の一人が外部モニターを監視して画面に表示された患部画像の診断、記憶装置への記録操作、若しくは、印刷装置によるプリント出力操作を行なっている。あるいは、足踏みスイッチを設けて、一人で歯科用カメラを手に持って患者の口腔内の挿入操作を行なうと共に、外部モニターを監視して、表示された患部画像の診断と足踏みスイッチによる記憶装置への記録又は印刷装置によるプリント出力操作を行なっている。
【０００６】
【発明が解決しようとする課題】
上述した従来例の歯科用カメラなどの狭部内の被写体を撮影するためのモニター付きカメラにおいては、モニターが外部のＣＲＴモニター装置等の大型モニター装置であり、カメラとは別個に設置されているため、カメラの操作とモニタ画面の監視操作にそれぞれ人手を要する。また、足踏みスイッチを使用して一人で歯科用カメラの操作と外部モニター画面の監視をする場合、歯科用カメラの患者の口腔等の狭部への挿入操作を行なう手元と外部モニター画面とが離れているため、患部などの必要なポイントをモニター画面上に正確に表示して観察、診断、撮影又は記録するためには、視線をたびたび手元の歯科用カメラと外部モニターとの間で変えるという煩瑣な操作が必要であり、歯牙などの小さな患部等のポイントを正確に観察、診断、又は撮影するには、かなりの熟練を要するという問題がある。
【０００７】
また、従来例の歯科用カメラなどの狭部内の被写体を撮影するためのモニター付きカメラでは、モニター装置とカメラが別体であるため、システム全体が大きくなり、可搬性に乏しく、どこでも簡単に使用できるものではないという問題点がある。
【０００８】
本発明は、このような従来の問題点を解決して、一人で簡単に操作でき、且つ、どこでも簡単に運搬して使用できる片手持ち可能な狭部撮影用モニター一体型カメラを提供することを目的とする。
【０００９】
【課題を解決するための手段】
上記目的を達成するために、請求項１に記載された本発明によれば、狭部内の被写体から受光するために一端に設けられた鏡筒部、鏡筒部で受光した被写体の画像を撮影する撮影部、及び、撮影部で撮影された画像を操作者に表示するため一端とは反対側の他端に設けられたモニター画面を有するカメラ本体と、カメラ本体に取り付けられてカメラ本体を操作者が片手で保持し且つ操作するためのハンドル部と、を備えたことを特徴とする片手持ち可能な狭部撮影用モニター一体型カメラが提供される。
【００１０】
請求項２に記載された本発明によれば、請求項１に記載の片手持ち可能な狭部撮影用モニター一体型カメラにおいて、ハンドル部に、カメラの電源電池、撮影された画像を記憶する取外し可能なメモリーカード、ハンドル部の鏡筒部と同じ側に操作者の人差し指で操作可能な撮影された画像をメモリカード内に記憶するためのシャッターボタン、及び、ハンドル部のモニター画面と同じ側に電源スイッチとメモリカード内に記憶された画像をモニター画面に表示する画像ページ送りスイッチと電源入り表示灯とスタンバイスイッチを有する操作パネル、が設けられた片手持ち可能な狭部撮影用モニター一体型カメラが提供される。
【００１１】
請求項３に記載された本発明によれば、請求項１に記載の片手持ち可能な狭部撮影用モニター一体型カメラにおいて、鏡筒部が狭部内の被写体を照明するための白色発光ダイオードを有し、撮影部が鏡筒部からの被写体の画像を撮影する半導体撮影素子を有するカラーデジタルカメラであり、モニター画面が被写体の撮影された画像をカラー表示するＴＦＴカラー液晶画面である、片手持ち可能な狭部撮影用モニター一体型カメラが提供される。
【００１２】
請求項４に記載された本発明によれば、請求項３に記載の片手持ち可能な狭部撮影用モニター一体型カメラにおいて、鏡筒部が外径が約０．８センチメートル乃至２．５センチメートル、長さが１センチメートル乃至１５センチメートルを有し、撮影部が被写界深度の大きい固定焦点型レンズを有し、モニター画面が２．５インチ乃至３．５インチのカラー液晶画面であり、総重量が１キログラム未満の片手持ち可能な狭部撮影用モニター一体型カメラが提供される。
【００１３】
【作用】
請求項１に記載の本発明の片手持ち可能な狭部撮影用モニター一体型カメラによれば、操作者が片手でモニター一体型カメラのハンドル部を持って保持し且つ操作しながら、カメラ本体の一端に設けられた鏡筒部を患者の口腔などの狭部に挿入して、同時にカメラ本体の他端に設けられた操作者に対向しているモニター画面上で患部の歯牙等の画像をリアルタイムで観察することができる。カメラ本体の鏡筒部とモニター画面は操作者の視線上ほぼ同じ向きに位置するためカメラの操作が容易であり、モニター画面が小型であっても、普通、患部等を数倍（２〜３倍）程度に拡大した画像を表示できるため、操作者は容易に患部の観察を行なうことができる。
【００１４】
なお、本発明の片手持ち可能な狭部撮影用モニター一体型カメラにより、歯の裏側等、隠れた部分を観察するには、鏡筒部の前方に歯科用の鏡を置いて、隠れた部分を鏡に反射させてモニター画面上に表示する。歯医者は歯の裏側等の隠れた部分をこのように歯科用鏡に写しながら歯科用ドリルで治療することに習熟しているので、一方の手で本発明の片手持ち可能な狭部撮影用モニター一体型カメラを持ち、他方の手で歯科用鏡を持って、モニター画面に患者の口腔内の隠れた部分を表示して観察することは、歯医者が習熟している方法と同様であり、容易に使用できる。なお、上記した使用方法は、患者の口腔以外の狭部、例えば、配管の内部、を観察する際も同様である。
【００１５】
請求項２に記載の本発明の片手持ち可能な狭部撮影用モニター一体型カメラによれば、操作者が片手でモニター一体型カメラのハンドル部を持って保持し且つ操作しながら、カメラ本体の一端に設けられた鏡筒部を患者の口腔などの狭部に挿入して、同時にカメラ本体の他端に設けられた操作者に対向しているモニター画面上で患部の歯牙等の画像を観察する際、ハンドル部を握っている片手の人差し指で鏡筒部と同じ側のハンドル部に設けられたシャッターボタンを押すことにより、モニター画面上に表示されている患部等の画像をメモリカードに記憶することができる。この操作は、あたかも、片手でピストルを持ちその引き金を引くような簡単な操作で、モニター画面上に表示された画像を後の処理のためにメモリカード内に記憶できる。
【００１６】
そして、操作パネルがモニター画面と同じ側のハンドル部に設けられていて、この操作パネル上に電源スイッチとメモリカード内に記憶された画像をモニター画面に表示する画像ページ送りスイッチと電源入り表示灯とスタンバイスイッチが設けられているため、操作者がモニター画面に表示され画像をメモリカード内に記憶したい場合、操作パネル上の電源スイッチをオンにすると、白色発光ダイオードが同時に発光して被写体を照明して、シャッターボタンを押すことでモニター画面上の画像をメモリカードに記憶できる。スタンバイスイッチを押すと、電源の消耗を防止するために白色発光ダイオードを消灯してスタンバイモードに入る。この後、操作者が画像をメモリカード内に記憶したい場合、シャッターボタンを１回押すと、スタンバイモードから出て白色発光ダイオードが再び発光して、被写体を照射する。さらにシャッターボタンを押すとモニター画面に表示された画像がメモリカードへ記憶できる。さらに、操作者が操作パネル上の画像ページ送りスイッチを操作すると再生モードに入り、白色発光ダイオードが発光していれば消灯して、モニター画面上にメモリカード内に記憶されている画像を順にページ送りして表示する。この操作により、操作者はメモリカードに正しく画像が記憶できたことを確認でき、さらに、後でモニター画面で画像を患者と共に再度観察しながら患者に患部や治療方法等を説明することができる。
【００１７】
請求項３及び４に記載の本発明の片手持ち可能な狭部撮影用モニター一体型カメラによれば、照射源として白色発光ダイオード、撮影部として半導体撮像素子を持つカラーデジタルカメラ、モニター画面としてＴＦＴカラー液晶装置の半導体技術を使用し、小型の電源電池を内蔵した片手持ち可能な狭部撮影用モニターを構成することにより、可搬性の優れた小型で且つ軽量な片手持ち可能な狭部撮影用モニター一体型カメラを構成できる。
【００１８】
【発明の実施の形態】
以下、添付図面を参照して本発明を好適な実施の形態について詳細に説明する。添付図面において、説明を簡潔にするために図中の同様な部分には同様の参照番号を付している。本発明の好適な実施の形態においては、歯科用カメラについて説明するが、以下に説明する実施の形態の内容は、歯科用カメラに限定されるものではなく、当業者ならば容易に他の狭部、例えば、配管の内部、を撮影するのに使用する片手持ち可能な狭部撮影用モニター一体型カメラに適用できる。
【００１９】
図１は、本発明の好適な実施の形態による歯科用カメラ１の構成を示す一部を切り欠いた概略的な斜視図である。歯科用カメラ１は、大略ピストル型の形状を有し、先側の一端には筒状の鏡筒部２が設けられ、この一端とは反対側の鏡筒部２の他端は大略直方体形の歯科用カメラ本体１０に取り付けられている。カメラ本体１０の鏡筒部２と反対側の後側には、モニター画面３が設けられている。モニター画面３は、例えば、２．５インチ乃至３．５インチ相当の大きさのカラーＴＦＴ（薄膜トランジスタ）液晶装置のモニター画面である。図１中、カメラ本体１０の下側からは、片手で握ることができる程度の大きさを持ったピストルの取っ手に相当する歯科用カメラ１のハンドル部４が伸びている。
【００２０】
鏡筒部２は、大略筒状の形状を有し、直径が約０．８センチメートル乃至約２．５センチメートル、長さが約１センチメートル乃至約１５センチメートルの大きさを有する。鏡筒部１の先端にはプラスチックの透明なフィルター５が設けられていて、外部と鏡筒部１の内部空間とを区切りながら、且つ、可視光を双方向に通過させている。鏡筒部１内には、白色発光ダイオード６の照射光源が設けられていて、フィルター５を介して外部を照射する。鏡筒部２内には、被写界深度の大きい固定焦点型レンズ７を有するデジタルカメラ８からなる撮影部が設けられている。撮影部としてのデジタルカメラ８は、外部の被写体からフィルター５を介してレンズ７で受光した光を、約６ミリセンチメートル角の大きさで約３０万画素を有するＣＣＤ（電荷結合素子）などの半導体撮像素子（図３中の９）上に結像する。半導体撮像素子９により撮影された被写体の画像は電気信号に変換されて、カメラ本体１０内の制御回路１１に送られて処理された後、ＴＦＴカラー液晶装置のモニター画面３上にカラー画像でリアルタイムに表示される。モニター画面３上の被写体の画像は、数倍、例えば２〜３倍、程度に実際よりも拡大して表示される。
【００２１】
図１中、カメラ本体１０の下側から伸びたハンドル部４は、上述の通り片手で握ることができる程度の大きさを有し、その内部には充電可能な電源電池１２が収納されていて、歯科用カメラ１全体が必要とする電源を供給する。図１中、ハンドル部４のモニター画面３と同じ側には、操作パネル１３及び取外し可能な不揮発性半導体記憶素子からなるメモリカード１４の挿入・排出口１５が設けられている。さらに、図１中、ハンドル部４の鏡筒部２と同じ側には、ハンドル部４を把持する操作者の片手の人差し指で押下げ操作のできるシャツターボタン１６が設けられている。このシャッターボタン１６を押すと、モニター画面３に表示中の画像データがメモリカード１４内に記憶される。
【００２２】
図２に示すように、操作パネル１３には、歯科用カメラ１の電源スイッチ２１と、電源入りを点灯して示す電源入り表示灯２２と、メモリカード１４内に記憶されている画像をモニター画面３に表示する画像ページ逆送りスイッチ２３及び順送りスイッチ２４と、押すと白色発光ダイオードの発光をオフしてスタンバイモードに入り不要な電力の消耗を防止するスタンバイスイッチ２５と、が設けられている。
【００２３】
図３は、図１に示す本実施の形態の歯科用カメラ１の回路構成を概略的に示すブロック図である。操作パネル１３上の電源スイッチ２１を押してオンにすると、充電可能な電源電池１２から電力が歯科用カメラ１全体に供給され、電源入り表示灯２２を点灯し、また、鏡筒部２内の白色発光ダイオード６が発光して透明フィルタ５を介して狭部内の被写体を照らす照射源となる。
【００２４】
透明フィルタ５を介して被写体からの受光された光は、鏡筒部２内で、デジタルカメラ８のレンズ７により、６ミリ角で３０万画素を有するＣＣＤ（電荷結合素子）の半導体撮像素子９上に結像されて電気信号に変換される。半導体撮像素子９からの電気信号は、制御回路１１で処理された後、ＴＦＴ（薄膜トランジスタ）カラー液晶装置のモニター画面３上に、実際よりも数倍（２〜３倍）の大きさに拡大されたカラー画像として表示される。このようにして、歯科用カメラ１のモニター画面３上に鏡筒部２により受光した被写体の画像がスルー画像としてリアルタイムに表示されると、この画像をメモリカード１４内に書き込み記憶が可能な録画モードになる。この時、ハンドル部４を把持している操作者の片手の人差し指でシャッターボタン１６を押すと、モニター画面３上に表示中の画像の一画面分が、制御回路１１により不揮発性半導体記憶素子からなる取外し可能なメモリカード１４内に電気的に書き込まれて記憶される。この時、画像の撮影日時（歯科用カメラ１内に含まれる図示しない時計機構により示されるシャツターボタン１６を押した日時）と画像番号（メモリカード１４内に画像を記憶した順番）も、画像と一緒にメモリカード１４内に記憶される。
【００２５】
モニター画面３上で記憶したい画像を確認の上、シャッターボタン１６を押すと、制御回路１１は書込み処理のため、モニター画面３上に記憶中と表示し、正常に書き込み処理が終了すると、書き込み画像の確認のため、今記憶した書き込み画像を約１秒間、読み出してモニター画面３上に表示する。その後、モニター画面３上には、撮影部８からの被写体のスルー画像が表示される。これにより、操作者に次ぎのシャツター操作が可能であることを知らせる。メモリカード１４は、画像の書き込みが終わると、画像番号を１つだけ更新して、次ぎの新たな画像を書き込むためにページ番号を１つだけ順送りする。操作者は、次々とシャツターボタン１６を押すことにより、モニター画面上に表示されている画像を、メモリカード１４内に記憶することができる。
【００２６】
もし、操作者が電源スイッチ２１をオンにしたまま、シャッター操作をある一定時間、例えば３０秒間、しないと、制御回路１１は電源電池１２の消耗を防ぐために、自動的に白色発光ダイオード６の発光を停止して、スタンバイモードに入る。また、白色発光ダイオード６の発光中にスタンバイスイッチ２５を押すと白色発光ダイオード６は発光を停止してスタンバイモードとなり、電源電池１２の消耗を防止することができる。操作者は、シャッターボタン１６を１度押すことにより、白色発光ダイオード６を再度発光させて、スタンバイモードから出て録画モードに入ることができ、その後に、シャッターボタン１６を押すと、モニター画面３上に表示された画像がメモリカード１４内に記憶される。
【００２７】
操作パネル上１３の画像ページ逆送りスイッチ２３又は順送りスイッチ２４を押すと、歯科用カメラ１は再生モードに入り、白色発光ダイオード６が発光中であれば発光を停止して、制御回路１１がメモリカード１４内に記憶されている画像を、記憶された順番を逆に遡って又は記憶順に読み出して、モニター画面３上に表示する。メモリカード１４内に記憶された画像をモニター画面３上に表示する際は、撮影部８からリアルタイムに表示される被写体の画像と区別するために、画像撮影日時や画像番号をモニター画面３上に表示してもよい。再生モードにおいても、操作者が、シャッターボタン１６を１度押すと、白色発光ダイオード６が再度発光して、再生モードから出て録画モードに入る。
【００２８】
取外し可能なメモリカード１４は、メモリカード１４の挿入・排出口１５から取外して、図示しない外部の大型モニター装置に装着して、メモリカード１４内に記憶された画像をその外部モニター画面上でさらに拡大表示して診断に使用すること、さらに、図示しない外部のプリンタ装置に装着して、メモリカード１４内に記憶された画像を写真画質でプリントアウトして記録用に保存することもできる。その際に、メモリカード１４内に記憶された画像の画像撮影日時や画像番号も外部モニター画面上で表示したり印刷することで、歯科用カメラ１により撮影された画像を整理して表示や印刷できる。
【００２９】
図４は、本実施の形態の歯科用カメラ１を使用する方法を示す。操作者は、例えば、右手４１で歯科用カメラ１のハンドル部４を握り、歯科用カメラ１の鏡筒部２の先端を患者３１の口腔内３２に挿入する。この際、衛生上及び汚染防止上の理由で、歯科用カメラ１の鏡筒部２及びカメラ本体１０の鏡筒部２側は、図示しない患者毎に使い捨て使用する透明なプラスチックのカバーを使用して、直接に患者と接したり、唾液等がかからないようにする。患者３１の口腔３２内の観察したい部位が歯科用カメラ１の鏡筒部２でモニター画面３に直接に表示できない場合は、操作者は例えば左手４２で歯科用鏡３３の把持部を持って、鏡３３で反射した像を鏡筒部２により受光して、モニター画面３上に数倍程度拡大して表示する。操作者は、モニター画面３上にリアルタイムで表示される口腔３２内のスルー画像を見ながら、必要と思われる画像を、歯科用カメラ１のハンドル部４を握って保持している右手４１の人差し指でハンドル部４のシャツターボタン１６を押すことにより、メモリカード１４に書き込んで記憶することができる。
【００３０】
本発明の歯科用カメラ１は、白色発光ダイオード６、ＣＣＤ撮像素子９、ＴＦＴカラー液晶装置３、メモリカード１４等の最新の半導体技術を用いることにより、容易に小型・軽量化が可能で、充電可能な電源電池をも含めた総重量を１キログラム以下にして製造できる。このため、操作者が本発明の歯科用カメラ１を片手で保持して操作することが容易にできる。さらに、本発明の歯科用カメラ１は最新の半導体技術を用いて比較的安価に製造できる。このため、例えば、本発明による歯科用カメラ１を歯科治療台に一台づつ附属させて、歯医者が治療用や診断用や記録用に使用したり、又は、患者に撮影した画像を歯科用カメラのモニター画面に表示しながら治療方法を説明する際にも使用できる。
【００３１】
以上、本発明の片手持ち可能な狭部撮影用モニター一体型カメラを、好適な実施の形態について説明したが、当業者は上述の説明からさまざまな修正、変形が容易にできることを理解できる。例えば、撮影部はデジタルカメラの代わりに小型テレビカメラを使用することができる。また、歯科用カメラのほか、配管の内部を検査する等の狭部を検査するための片手持ち可能な狭部撮影用モニター一体型カメラとしても使用できる。
【００３２】
【発明の効果】
以上説明したように、本発明の片手持ち可能な狭部撮影用モニター一体型カメラによれば、被写体から受光する鏡筒部とモニター画面とを一体にしてハンドル部で片手により保持し且つ操作できるようにし、さらに、鏡筒部とモニター画面とが操作者から見て同じ向きに配置されているので、操作者は目線を変えることなく、モニター画面に表示された被写体の画像を見ながら片手でカメラを操作でき、使い勝手が良い。さらに、小型軽量で可搬性に優れているので、一人で簡単にどこでも何時でも使用することができる。
【図面の簡単な説明】
【図１】本発明の１つの実施の形態による片手持ち可能な狭部撮影用モニター一体型カメラの構成を概略的に示す一部を切り欠いた斜視図。
【図２】図１に示す片手持ち可能な狭部撮影用モニター一体型カメラの操作パネルの部分を示す平面図。
【図３】図１に示す片手持ち可能な狭部撮影用モニター一体型カメラの回路構成を概略的に示すブロック図。
【図４】図１に示す片手持ち可能な狭部撮影用モニター一体型カメラの１つの使用方法を示す概略斜視図。
【符号の説明】
１　　歯科用カメラ
２　　鏡筒部
３　　モニター画面
４　　ハンドル部
６　　白色発光ダイオード
７　　レンズ
８　　デジタルカメラ
９　　ＣＣＤ半導体撮像素子
１０　カメラ本体
１２　電源電池
１３　操作パネル
１４　メモリカード
１６　シャッターボタン
【図１】
2004073419.tif 000003
【図２】
2004073419.tif 000004
【図３】
2004073419.tif 000005
【図４】
2004073419.tif 000006
【手続補正書】
【提出日】平成15年8月21日(2003.8.21)
【手続補正２】
【補正対象書類名】明細書
【補正対象項目名】特許請求の範囲
【補正方法】変更
【補正の内容】
【特許請求の範囲】
【請求項１】
狭部内の被写体から受光するために一端に設けられた鏡筒部、該鏡筒部で受光した前記被写体の画像を撮影する撮影部、及び、前記撮影部で撮影された画像を操作者に表示するために前記一端とは反対側の他端に設けられたモニター画面を有するカメラ本体と、
該カメラ本体に取り付けられて前記カメラ本体を前記操作者が片手で保持し且つ操作するためのハンドル部と、
前記撮影された画像を記憶する取外し可能なメモリーカードと、
前記ハンドル部の前記鏡筒部と同じ側に操作者の人差し指で操作可能な前記撮影された画像を前記メモリカード内に記憶するためのシャッターボタンと、
前記ハンドル部の前記モニター画面と同じ側にメモリカード内に記憶された画像を前記モニター画面に表示する画像ページ送りスイッチと、
を備えたことを特徴とする片手持ち可能な歯科用モニター一体型カメラ。
【請求項２】前記鏡筒部が前記狭部内の被写体を照明するための白色発光ダイオードを有し、前記撮影部が前記鏡筒部からの前記被写体の画像を撮影する半導体撮影素子を有するカラーデジタルカメラであり、前記モニター画面が前記被写体の撮影された画像をカラー表示するＴＦＴカラー液晶画面である、請求項１に記載の片手持ち可能な歯科用モニター一体型カメラ。
【請求項３】前記鏡筒部が約０．８センチメートル乃至２．５センチメートルの外形、１センチメートル乃至１５センチメートルの長さを有し、前記撮影部が被写界深度の大きい固定焦点型レンズを有し、前記モニター画面が２．５インチ乃至３．５インチのカラー液晶画面であり、総重量が１キログラム未満の請求項２に記載の片手持ち可能な歯科用モニター一体型カメラ。